(57)【要約】【課題】  簡単な構成および用いられる部材の交換頻度を低くできることにより低コストで水の改質が可能にして洗浄能力を高めることができる構成を備えた水改質体を提供する。【解決手段】  樹脂の中空容器１Ａと、前記容器１Ａ内において僅かな気体空間１Ｄを保って収容された液体２とからなり、全体の比重が１よりも僅かに小さくなるように構成され、前記容器１Ａが水中で移動することにより該容器と接触する水を活性化することを特徴としている。【選択図】        図２
0003107673.tif 000002
【実用新案登録請求の範囲】
【請求項１】
樹脂の中空環状体容器と、
前記中空環状容器内において僅かな気体空間を残して収容された液体とからなり、
全体の比重が１よりも僅かに小さくなるように構成され、前記環状容器が水中で移動することにより該容器と接触する水を活性化することを特徴とする水改質体。
【請求項２】
請求項１記載の水改質体において、
前記中空環状容器内の液体は組織水が用いられ、水中に投入されて泳動することにより該容器と接触する水を活性化することを特徴とする水改質体。
【請求項３】
請求項１又は２記載の水改質体において、
前記組織水は、水分子がチェーン状或いはリング状に水素結合した構造的な水分子を構成して電気振動共鳴性が高い性質を有していることを特徴とする水改質体。
【請求項４】
請求項１乃至３のうちの一つに記載の環状体において、
該中空環状容器は、洗濯槽内に投入された際に前記組織水の共鳴により該容器に接触する水の共鳴状態を変化させることを特徴とする水改質体。
【考案の詳細な説明】
【技術分野】
【０００１】
本考案は、水改質体に関し、さらに詳しくは、洗濯などの際に用いられる水の洗浄効果を高めるための水改質体に関する。
【背景技術】
【０００２】
従来、洗濯の際には水道水や浴槽の残湯などに適量の洗剤を洗濯機に入れ、衣類などの汚れを落とすことが行われている。
衣類は水の動きに従い反転、膨縮を繰り返すことにより繊維に付着している汚れと洗剤との接触機会を増やされると、洗剤に含まれている界面活性剤の機能により繊維から汚れが剥がれ落とされて清浄化される。
従来、洗濯効率を向上させる方法として、アルカリ電解水と界面活性剤とを含む水溶液を添加する方法（例えば、特許文献１）、遠赤外線を放射する天然石とマイナスイオン鉱石とを収容した容器を水中に投入して界面活性効果を高める方法（例えば、特許文献２）、さらにはトルマリンおよび光触媒等の水質改良材を収容した容器を水中に投入して水に含まれている遊離塩素分の吸着作用および水の親和性や浸透性を高めることで水自身の活性化による汚れ落とし効果を高める方法（例えば、特許文献３）がある。
【特許文献１】特開２００１−１７２８５８号公報（段落「０００６」欄）
【特許文献２】特開平９−７８２号公報（段落「０００４」欄）
【特許文献３】特開２００３−２１１１７０号公報（段落「００１９」欄）
【考案の開示】
【考案が解決しようとする課題】
【０００３】
洗濯時での効率を向上させる方法のうちで、水自身を改質あるいは活性化させる方法は洗剤の使用量を減らすことが期待できる反面、含まれる物質と水との接触が前提となるため、物質を収容した容器の形状が複雑となることが原因して高コストとなる虞がある。また、収容されている物質が水と接触することにより或いは物質同士の衝突により消耗が激しくなる虞があることにおいても交換や補充が必要となるなどの面で高コストとなることがある。
【０００４】
本考案は、上記従来の洗濯等に用いられる水改質体における問題に鑑み、簡単な構成および用いられる部材の交換頻度を低くできることにより低コストで水の改質が可能にして洗浄能力を高めることができる構成を備えた水改質体を提供することにある。
【課題を解決するための手段】
【０００５】
請求項１記載の考案は、樹脂の中空容器と、前記容器内において僅かな気体空間を保って収容された液体とからなり、全体の比重が１よりも僅かに小さくなるように構成され、前記容器が水中で移動することにより該容器と接触する水を活性化することを特徴としている。
請求項２記載の考案は、請求項１記載の水改質体において前記環状体内の液体は組織水が用いられ、水中に投入されて泳動することにより該容器と接触する水を活性化することを特徴としている。
請求項３記載の考案は、請求項１又は２記載の水改質体において、前記組織水は、水分子がチェーン状或いはリング状に水素結合した構造的な水分子を構成して電気振動共鳴性が高い性質を有していることを特徴としている。
請求項４記載の考案は、請求項１乃至３のうちの一つに記載の環状体において、該環状体は、洗濯槽内に投入された際に前記組織水の共鳴により該容器に接触する水の共鳴状態を変化させることを特徴としている。
【考案の効果】
【０００６】
請求項１乃至４記載の考案によれば、比重が１よりも僅かに小さい液体を収容している中空環状容器を水中で移動させることで水との接触機会を増やし、水の改質機会を増加させることができる。特に、環状体に収容されている物質が液体であるので、中空環状容器が移動する時の衝撃等が生じないので、用いられる部材の損傷や消耗がなく、用いられる部材の交換・補充といった手間をなくせることで低コストによる洗浄能力の向上が可能となる。
さらに、請求項２乃至４記載の考案においては、中空環状容器に収容されている液体として中空環状容器に接触する水を共鳴させてその水の構造変化を起こさせると共に中空環状容器内で泳動可能な組織水であるので、中空環状容器が移動した際に組織水自体が容器内で移動することにより容器の内側に一部の水が侵入する場合と違って水に対して共鳴範囲を広げることができる。これにより、固形物質の場合と違って固形物質への水の侵入に依存することなく接触する水の共鳴作用を拡大させて水の細分化を可能にできる。細分化した水は、例えば、衣料繊維とこれに付着している汚れなどの間に介在して汚れと繊維との間の表面張力を低下させることができるので、洗剤などの依存量を低下させた場合でも汚れ落としの効率が高められる。この結果、洗剤の使用量を低下させて洗濯に要するコストを低くすることができる。また、洗剤の使用量を下げることで環境汚染の問題にも貢献することが可能となる。
【考案を実施するための最良の形態】
【０００７】
以下、図示実施例により本考案を実施するための最良の形態について説明する。
【実施例】
【０００８】
図１は、本実施例による水改質体の全体構成を示す斜視図であり、図２は、図１中、符号（２）で示す方向の矢視断面図である。
図１において、水改質体１は、透明あるいは半透明若しくは有色の樹脂製の中空環状容器１Ａを備えており、中空環状容器１Ａは、図２に示すように、内部に液体２を収容可能な空間１Ｂが形成されて中心部が貫通する平面視形状がドーナツ形状で、厚さ方向両端面に平坦面１Ｃを有した部材である。  
中空環状容器１Ａの内部には、液体の収容空間１Ｂにおいて僅かな気体空間１Ｄを残すことができる量の液体２が封入されている収容されている。なお、図１における符号１Ｄで示す気体空間は、中空環状容器１Ａを横に倒した状態で液体の収容空間上方に位置している状態を示しており、図２では、中空環状容器１Ａが縦に起こされているので空間部上方に位置している状態が示されている。このような僅かな気体空間１Ｄを設けることで、収容空間内に液体２を充満させる場合と違って空間内での流動抵抗が軽減されて液体の泳動を起こしやすくしてある。
【０００９】
液体２は、組織水と称される水が用いられる。組織水は、水の分子がチェーン状或いはリング状に水素結合した構造をなし、特定の磁場により特定の方向に整列された構成を有する水であり、泳動した際に特定方向への共鳴作用が得られるようになっている。つまり、水は水素と酸素との組み合わせ（Ｈ２Ｏ）（分子量１８））であり、簡単な分子構造でありながら別の分子と複雑に関係するが、組織水は、水分子がチェーン状或いはリング状に水素結合している。組織水は、各水分子に対して磁場中で分子を特定方向に整列させることにより電気振動共鳴性を発生させるようにしたものであり、水道水と比べて表面張力を低くかつ誘電伝導性を増加させたものである。従って、一般の水分子のようにバラバラの水の分子集団を形成していないので、ある一定の方向に放射する電磁波を発生させることができ、この電磁波を受けた中空環状容器１Ａの外側に存在する水分子が一斉に一定の方向に向く現象を引き起こす、いわゆる、共鳴現象を起こさせることができる。このため、中空環状容器１Ａの外側に存在する水、この場合には洗濯水などは互いに分子間で引き合おうとするものの、同じ方向を向いていることにより引き合う相手がないことでバラバラの状態で存在することになり、このことが水の微細化現象として現れ、微細化された水が繊維と汚れとの間に入り込みやすくなる。この結果、微細化された洗濯水は分子間で引き合う力も弱められることになり、表面張力で付着している繊維と汚れとの間に入り込んで汚れの層に亀裂を生じさせて水流による剥がれ落とし作用を促進することができるようになっている。なお、組織水は、透明であっても有色であっても良いものである。
【００１０】
本実施例は以上のような構成であるから、洗濯水内に改質体１を投入して洗濯を行う。図３は、洗濯水中に改質体１が投入された際の現象を説明するための図であり、洗濯機の稼働により衣料などの洗濯物が攪拌されると（図３（Ａ）参照）、改質体１も攪拌流に従って洗濯槽内を移動し、中空環状容器１Ａの内部に収容されている組織水も中空環状容器１Ａ内で周方向に移動および断面方向で旋回移動することができる。
なお、図３において符号Ｄは汚れを、符号Ｓは繊維を、符号Ｗは微細化された水分子をそれぞれ示している。
中空環状容器１Ａの空間１Ｂにおいて組織水が泳動すると、容器内に一部の水を侵入させる場合と違って、組織水による容器外側の水との対向機会が増やされることになる。
【００１１】
磁場による一定方向に整列されている水分子は、移動過程において共鳴現象を生起し、中空環状容器１Ａに接触している環状体外部に位置する洗濯水も共鳴現象により組織水の向きに倣うこととなり、洗濯水の水分子同士の結合ができにくい状態とされた微細化される。この結果、図３（Ｂ）および（Ｂ）中からの一部を引き出して拡大して示すように、微細化された水分子が布地の汚れの層に入り込み、表面張力の影響を小さくして剥がれ落としやすくする（拡大図において汚れが剥がれ落とされている状態を矢印で示す）。  本実施例においては、中空環状容器１Ａの厚さ方向両端面が平坦面１Ｃとされているので、洗濯水中に投入された際、水の抵抗を受けやすくすることができる。これにより、周方向断面が円形の場合のように水の抵抗を受けにくいことで洗濯槽の底部に落下しやすくなるのを防止して洗濯槽内で垂直方向への移動よりも水平方向での移動が維持されやすくなるので、洗濯水への接触機会を洗濯槽の全域に亘って増加および平衡させることができる。  
【００１２】
本考案者は、本実施例による水改質体１を用いた場合と合成洗剤のみを用いた場合での汚れ落ちの度合いについて実験（ＪＩＳ規格に基づく洗浄力実験）したところ、図４に示す結果を得た。図４に示す結果は、「ＪＩＳ  Ｌ  ０２１７  １０３法  自然乾燥」に基づく結果であり、図における数値の５は、汚れが完全に落ちたことを意味している。
図４からも明らかなように、本実施例においては、合成洗剤のみの場合に比べて良好か結果が得られた。ただ、水分子の整列規制による微細化現象を利用しただけでも、原理的には汚れの剥がれ落ちの度合いを向上させることができるが汚れの種類によっては合成洗剤との協働を行うことも可能である。
【００１３】
上記実施例においては、環状体１の表面が無垢な状態を前提としたが、本校案ではこれに限らず、表面に攪拌パルセータ構造部を設けたり、組織水の収容空間を周方向に連続するのでなく間欠的な位置関係とすることも可能である。このような構成とすることにより、洗濯槽内での浮遊状態を継続させて洗濯水との接触状態を最適化したり、あるいは環状体自体の攪拌により汚れを剥がし落とす水流を生起させることができる。なお、本実施例に適用した水改質体１は、水分子の微細化により表面張力を低下させることができるので、洗濯時での汚れ落としだけでなく、例えば、貯水槽での錆などの剥がれ落とし等にも用いることが可能である。
【図面の簡単な説明】
【００１４】
【図１】本実施例による水改質体の構成を示す斜視図である。
【図２】図１中、符号（２）で示す方向の矢視断面図である。
【図３】図１に示した水改質体による洗濯状態を示す図であり、（Ａ）は、投入時の状態を、（Ｂ）は汚れが剥がれ落とされる状態をそれぞれ示している。
【図４】図１に示した水改質体を用いた場合と合成洗剤のみを用いた場合とで汚れ落ち度を比較した表図である。
【符号の説明】
【００１５】
１        水改質体
１Ａ      中空環状容器
２        組織水
【図１】
0003107673.tif 000003
【図２】
0003107673.tif 000004
【図３】
0003107673.tif 000005
【図４】
0003107673.tif 000006